(57)【特許請求の範囲】
【請求項１】
立体形成又は平面形成されたマスク本体と、前記マスク本体の裏側上部に設けられた弾性折曲部と、前記マスク本体左右に設けられた耳掛け部と、前記弾性折曲部に沿うと共に下方に垂れ下がる第一薄膜片部とを備え、
前記第一薄膜片部は、その上端縁部が前記弾性折曲部に固定されており、垂下方向に沿う両側縁は前記マスク本体に固定されていないことを特徴とするマスク。
【請求項２】
前記マスク本体裏側と前記第一薄膜片部の間には、第二薄膜片部を設けた請求項１記載のマスク。
【発明の詳細な説明】
【技術分野】
【０００１】
本発明はメガネの曇り防止可能なマスクに関するものである。
【背景技術】
【０００２】
通常マスクは鼻と口を覆ってマスク本体を通して呼吸するものであるが、どうしても顔とマスクには隙間が出来てしまいメガネをかけると自分の吐く息によってメガネが曇ってしまい、常にメガネを拭くか外さなければならなかった。
【先行技術文献】
【特許文献】
【０００３】
【特許文献１】特開２０１３−７５３１０号公報
【特許文献２】特開２００９−２２６１８３号公報
【特許文献３】特開２００９−６６３８２号公報
【特許文献４】特開２００８−２３２９８号公報
【特許文献５】特開２００７−２５２８５４号公報
【特許文献６】特開２０１３−７５３１０号公報
【特許文献７】実用新案登録第３１２８２６１号公報
【特許文献８】実用新案登録第３１１６４２６号公報
【発明の概要】
【発明が解決しようとする課題】
【０００４】
先行案件の特開２０１３−７５１３０の折り曲げ式のメガネの曇り防止マスクや、その他の案件のマスクと顔の隙間を防ぐ構造のマスクでは一時的にメガネの曇りを防止できるが吐く息の量や顔の動きなどでマスクの折り曲げた部分が膨くらんで顔に合わなくなり、その結果として隙間から息が漏れてメガネが曇ってしまうといった不具合が生じていた。
【課題を解決するための手段】
【０００５】
上記目的を達成するために、本考案は立体で形成されたマスクおよび平面マスク本体の上部に金属や形状記憶の素材などの針金状の物で構成された鼻の形状に合わせてマスク本体と顔面の隙間を塞ぐ弾性折曲部を設けたマスクに、薄膜状で空気を通さないか又は通し難い素材からなる薄膜片を弾性折曲部の内側に下方に垂れ下がるように取り付けた構造で構成されている。また本考案の重要な所は弾性折曲部と薄膜片の相乗効果を複合させたことであり、構造が簡単で画期的な機能により呼気の上部への漏れを防ぎメガネの曇りを防止するマスクである。
【発明の効果】
【０００６】
請求項１に係る発明においてメガネの曇り防止用薄膜片を取り付けたマスクは、マスク本体のメガネの曇り防止のため取り付けている弾性折曲部を鼻の形状に合わせることにより口や鼻から吐き出された呼気がいったん弾性折曲部で呼気の漏れを最小に防ぎ、尚かつ第一薄膜片が呼気の圧力によって顔面に押しつけられ第一薄膜片と顔面が密着することにより、顔面とマスク上部の隙間がなくなり呼気によるメガネの曇りを最大に防ぐ効果が得られるが、もっとも重要な所は弾性折曲部と第一薄膜片を組み合わせたところであり、その相乗効果を利用することによって最大限のメガネの曇りを防止するための効果が得られる。
【０００７】
請求項２に係る発明において、口や鼻から吐き出された呼気がいったん弾性折曲部で呼気の漏れを最小に防ぎ、尚且つ第一薄膜片が呼気の圧力により顔面に押しつけられ呼気が上に漏れなくなるが、しかし、まれにマスクの生地を通して呼気が漏れる場合は弾性折曲部の下に第二薄膜片をマスク本体の生地に鼻腔の上まで貼ればマスクからの呼気の漏れは防げる。
【図面の簡単な説明】
【０００８】
【図１】立体で形成されたマスク本体の弾性折曲部の上に第一薄膜片を貼り付けた状態の正面図である。
【図２】図１のA−A断面の断面図である。
【図３】図１の斜視図である。
【図４】平面マスク本体およびブリーフ型マスク本体の弾性折曲部の上に第一薄膜片を貼り付けた状態の正面図である。
【図５】図４のB−B断面の断面図である。
【図６】立体で形成されたマスク本体の弾性折曲部に第一薄膜片部を貼り付けた下のマスク本体の生地に第二薄膜片を貼り付けた状態の正面図である。
【図７】図６のC−C断面の断面図である。
【図８】図６の斜視図である。
【図９】平面マスク本体およびブリーフ型マスク本体の弾性折曲部に第一薄膜片部を貼り付けた下のマスク本体の生地に第二薄膜片を貼り付けた状態の正面図である。
【図１０】図９のD−D断面の断面図である。
【発明を実施するための形態】
【０００９】
図１では１の立体マスク本体と２の耳掛けで構成されたマスクの３の弾性折曲部の上に４の伸縮性のある軟質のゴム、ナイロン、ポリエステル、ビニール系等の素材でできた第一薄膜片を接着剤か両面テープなどで下方に垂れ下がるように貼り付ける。第一薄膜片は左右二つ折りの一枚もので左右対称のものを使用し、５の空間はマスクを広げて装着したときにマスク本体と第一薄膜片との間に隙間が出来て顔面に密着するためのものである。
【００１０】
図２は図１のA−A断面の断面図である。
【００１１】
図３は図１の斜視図で、マスクを広げて装着したときに１のマスク本体と４の第一薄膜片との間に５の空間が出来て呼気の圧力により４の第一薄膜片が顔面に確実に密着するためのものである。
【００１２】
図４では６の平面マスク本体と７の耳掛けで構成されたマスクに取り付けられた８の曇り止め防止用の弾性折曲部の上に左右対称の第一薄膜片４を接着剤か両面テープなどで貼り付け、かつ第一薄膜片は１枚もので左右対称のものを使用することにより、マスク装着時にマスク本体と第一薄膜片との間に隙間が出来て呼気の圧力により第一薄膜片が顔面に密着しマスクと顔面との隙間から呼気が上に抜けるのを防止する。
【００１３】
図５は図４のB−B断面の断面図である。
【００１４】
図６は図１の立体マスクではマスクと顔面との隙間から漏れる呼気は防止できるが、まれに１のマスク本体の生地から呼気が漏れてメガネを曇らしてしまう場合があり、それを防止するために図１のマスクのマスク本体の生地に直接、薄膜状で空気を通さないか通しにくい素材からなる９の第二薄膜片を３の弾性折曲部より下に、そして鼻腔より下にならないように左右対称に横長の帯状のものを、接着剤か両面テープで第二薄膜片全体をマスクに貼り付けることによりマスク本体の素材からの呼気の漏れによるメガネの曇りを防止することができる。
【００１５】
図７は図６のC−C断面の断面図である。
【００１６】
図８は図６の斜視図である。
【００１７】
図９は図４の平面マスクではマスク本体と顔面との隙間から漏れる呼気は防止できるが、まれに６のマスク本体の生地から呼気が漏れてメガネを曇らしてしまう場合があり、それを防止するために図４のマスクのマスク本体の生地に直接、薄膜状で空気を通さないか通しにくい素材からなる９の第二薄膜片を８の弾性折曲部より下に、そして鼻腔より下にならないように左右対称に横長の帯状のものを、接着剤か両面テープで第二薄膜片全体をマスクに貼り付けることによりマスク本体の素材からの呼気の漏れによるメガネの曇りを防止することができる。
【００１８】
図１０は図９のD−D断面の断面図である。
【産業上の利用可能性】
【００１９】
本考案のメガネの曇り止めマスクは医療用及び産業用に製造される産業で利用される。
【符号の説明】
【００２０】
１．立体マスク本体
２．立体マスクの耳掛け部
３．立体マスクの弾性折曲部
４．立体マスク及び平面マスクの第一薄膜片部
５．立体マスク本体と第一薄膜片部との隙間
６．平面マスク本体
７．平面マスクの耳掛け部
８．平面マスク用の弾性折曲部
９．立体マスク及び平面マスク用第二薄膜片部
【要約】
【課題】
マスクと顔面との間に形成される隙間を確実に塞ぐことができて、眼鏡の曇りを効果的に軽減ないし解消することができる、メガネの曇り防止用マスクを提供する。
【解決手段】
通気性のある耳掛けマスク本体１の上部の弾性折曲部３に薄膜片４を接着剤か両面テープなどで貼り付ける。薄膜片は左右二つ折りの一枚もので左右対称のもので構成し、装着時に呼気圧によって第一薄膜片が顔面に密着しマスク本体と顔面の隙間をなくしメガネの曇りを防止する。
【選択図】図１【図１】
0005463481.tif 000002
【図２】
0005463481.tif 000003
【図３】
0005463481.tif 000004
【図４】
0005463481.tif 000005
【図５】
0005463481.tif 000006
【図６】
0005463481.tif 000007
【図７】
0005463481.tif 000008
【図８】
0005463481.tif 000009
【図９】
0005463481.tif 000010
【図１０】
0005463481.tif 000011